【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
以下：
患者の血管を貫通するコントラストの動きに関連する灌流イメージングデータを取得するように構成された灌流イメージングシステムからの灌流画像の第１のセットに対応する灌流イメージングデータの第１のセットを受け取る、
灌流イメージングデータの前記第１のセットに基づいて、前記患者の前記血管を貫通する前記コントラストの動きを表す少なくとも２つのパラメータの第１のグループを決定する、ここで、少なくとも２つのパラメータの前記第１のグループは、ピークまでの時間、造影剤流入速度、曲線下面積、又は平均通過時間のうちの少なくとも２つを含む、
前記灌流イメージングシステムからの灌流画像の異なる第２のセットに対応する、灌流イメージングデータの異なる第２のセットを受け取る、
灌流イメージングデータの前記第２のセットに基づいて、前記患者の前記血管を貫通する前記コントラストの動きを表す少なくとも２つのパラメータの第２のグループを決定する、ここで、少なくとも２つのパラメータの前記第２のグループは、少なくとも２つのパラメータの前記第１のグループと同じである、
灌流イメージングデータの前記第１のセット、少なくとも２つのパラメータの前記第１のグループ、灌流イメージングデータの前記第２のセット、及び少なくとも２つのパラメータの前記第２のグループの同時表示のため単一のグラフ表示を生成する、及び
前記単一のグラフ表示を、ディスプレイのグラフィカルユーザインターフェースに出力する、
ように構成されている医療処理ユニットであって、
ここで、灌流イメージングデータの前記第１のセットは、血管内手術の前に得られた灌流イメージングデータを含み、且つ灌流イメージングデータの前記第２のセットは、前記血管内手術の後に得られた灌流イメージングデータを含み、且つ
ここで、前記単一のグラフ表示は、灌流イメージングデータの前記第１のセット及び少なくとも２つのパラメータの前記第１のグループの第１のグラフ表示と、灌流イメージングデータの前記第２のセット及び少なくとも２つのパラメータの前記第２のグループの第２のグラフ表示との組み合わせを含む、医療処理ユニット。
【請求項２】
前記単一のグラフ表示は、前記第１のグラフ表示に示されているように、前記患者の血管を貫通する前記コントラストの動きを表す第１の曲線と、前記第２のグラフ表示に示されているように、前記患者の血管を貫通する前記コントラストの動きを表す第２の曲線とを含み、両者は軸の同じセットにプロットされる、請求項１に記載の医療処理ユニット。
【請求項３】
少なくとも２つのパラメータの前記第１のグループに基づいて推奨を生成する、及び
前記推奨を、ディスプレイの前記グラフィカルユーザインターフェースに出力する、
ようにさらに構成されている、請求項１に記載の医療処理ユニット。
【請求項４】
前記推奨が、前記血管内手術のための１つ以上の候補部位を識別することを含む、請求項３に記載の医療処理ユニット。
【請求項５】
医療システムであって、
請求項１に記載の医療処理ユニットと、
前記グラフィカルユーザインターフェースと、
前記灌流イメージングシステムと、
を含む医療システム。
【請求項６】
請求項５に記載の医療システムであって、ここで、前記単一のグラフ表示は、
前記患者の血管を貫通する前記コントラストの動きを表すグラフ、ここで、前記グラフは、
灌流イメージングデータの前記第１のセットに対応する第１の曲線と、
灌流イメージングデータの前記第２のセットに対応する異なる第２の曲線と、
を含む、グラフ、
少なくとも２つのパラメータの前記第１のグループの数値表現、及び
少なくとも２つのパラメータの前記第２のグループの数値表現、
を含む、医療システム。
【請求項７】
方法であって、以下：
医療処理ユニットが、患者の血管を貫通するコントラストの動きに関連する灌流イメージングデータを取得するように構成された灌流イメージングシステムからの灌流画像の第１のセットに対応する灌流イメージングデータの第１のセットを受け取ること、
前記医療処理ユニットが、灌流イメージングデータの前記第１のセットに基づいて、前記患者の血管を貫通する前記コントラストの動きを表す少なくとも２つのパラメータの第１のグループを決定すること、ここで、少なくとも２つのパラメータの前記第１のグループは、ピークまでの時間、造影剤流入速度、曲線下面積、又は平均通過時間のうちの少なくとも２つを含む、
前記医療処理ユニットが、前記灌流イメージングシステムからの灌流画像の異なる第２のセットに対応する、灌流イメージングデータの異なる第２のセットを受け取ること、
前記医療処理ユニットが、灌流イメージングデータの前記第２のセットに基づいて、前記患者の血管を貫通する前記コントラストの動きを表す少なくとも２つのパラメータの第２のグループを決定すること、ここで、少なくとも２つのパラメータの前記第２のグループは、少なくとも２つのパラメータの前記第１のグループと同じである、
前記医療処理ユニットが、灌流イメージングデータの前記第１のセット、少なくとも２つのパラメータの前記第１のグループ、灌流イメージングデータの前記第２のセット、及び少なくとも２つのパラメータの前記第２のグループの同時表示のため単一のグラフ表示を生成すること、及び
前記医療処理ユニットから、前記単一のグラフ表示を、ディスプレイのグラフィカルユーザインターフェースに出力すること、
を含み、
ここで、灌流イメージングデータの前記第１のセットは、血管内手術の前に得られた灌流イメージングデータを含み、且つ灌流イメージングデータの前記第２のセットは、前記血管内手術の後に得られた灌流イメージングデータを含み、
ここで、前記単一のグラフ表示を生成することは、灌流イメージングデータの前記第１のセット及び少なくとも２つのパラメータの前記第１のグループの第１のグラフ表示と、灌流イメージングデータの前記第２のセット及び少なくとも２つのパラメータの前記第２のグループの第２のグラフ表示とを組み合わせることを含む、方法。
【請求項８】
請求項７に記載の方法であって、さらに、：
前記医療処理ユニットが、少なくとも２つのパラメータの前記第１のグループと少なくとも２つのパラメータの前記第２のグループとの間の差異を決定すること、及び
前記医療処理ユニットから、前記差異を、ディスプレイの前記グラフィカルユーザインターフェースに出力すること、
を含む、方法。
【請求項９】
請求項７に記載の方法であって、ここで、前記単一のグラフ表示は、前記第１のグラフ表示に示されているように、前記患者の血管を貫通する前記コントラストの動きを表す第１の曲線と、前記第２のグラフ表示に示されているように、前記患者の血管を貫通する前記コントラストの動きを表す第２の曲線と、を含み、両者は軸の同じセットにプロットされる、方法。
【請求項１０】
ここで、当該医療処理ユニットは、興味関心領域のユーザ選択を受け取るようにさらに構成されている、請求項１に記載の医療処理ユニット。
【請求項１１】
ここで、前記単一のグラフ表示は、
前記患者の血管を貫通する前記コントラストの動きを表すグラフ、ここで、前記グラフは、
灌流イメージングデータの前記第１のセットに対応する第１の曲線と、
灌流イメージングデータの前記第２のセットに対応する異なる第２の曲線と、
を含む、グラフ、
少なくとも２つのパラメータの前記第１のグループの数値表現、及び
少なくとも２つのパラメータの前記第２のグループの数値表現、
を含む、請求項７に記載の方法。
【請求項１２】
請求項７に記載の方法であって、さらに、：
前記医療処理ユニットが、灌流イメージングデータの前記第１のセットに基づいて解剖学的構造の第１の灌流画像を生成すること、及び
前記医療処理ユニットから、前記第１の灌流画像を、ディスプレイの前記グラフィカルユーザインターフェースに出力すること、
を含む、方法。
【請求項１３】
請求項１２に記載の方法であって、さらに、：
前記医療処理ユニットが、灌流イメージングデータの前記第２のセットに基づいて前記解剖学的構造の第２の灌流画像を生成すること、及び
前記医療処理ユニットから、前記第２の灌流画像を、ディスプレイの前記グラフィカルユーザインターフェースに出力すること、
を含む、方法。
【請求項１４】
請求項１２に記載の方法であって、さらに、：
前記医療処理ユニットが、灌流イメージングデータの前記第１のセットに基づいて推奨を生成することであって、ここで前記推奨を生成することは、前記血管内手術のための１つ以上の候補部位を識別することを含むこと、及び
前記医療処理ユニットから、前記推奨をディスプレイの前記グラフィカルユーザインターフェースに出力すること、
を含む方法。
【請求項１５】
ここで、前記血管内手術のための１つ以上の候補部位を識別することは、前記第１の灌流画像に示される前記解剖学的構造上の前記１つ以上の候補部位の視覚的インジケータを提供することを含む、請求項１４に記載の方法。
【請求項１６】
ここで、当該医療処理ユニットは、さらに、
ユーザ入力を受け取ることにのみ応答して、少なくとも２つのパラメータの前記第１のグループとは異なる、前記患者の血管を貫通する前記コントラストの動きを表す追加のパラメータを決定する。
前記追加のパラメータに基づいて、灌流イメージングデータの前記第１のセット、少なくとも２つのパラメータの前記第１のグループ、灌流イメージングデータの前記第２のセット、少なくとも２つのパラメータの前記第２のグループ及び前記追加のパラメータの同時表示のため前記単一のグラフ表示を更新する、及び
前記単一のグラフ表示を、ディスプレイの前記グラフィカルユーザインターフェースに出力する、
ように構成されている、請求項１に記載の医療処理ユニット。
【請求項１７】
ここで、当該医療処理ユニットは、さらに、
灌流画像の前記第１のセットの画像と、灌流画像の前記第２のセットの画像との間の差異に基づいて、灌流画像を生成する、及び
前記灌流画像を、ディスプレイの前記グラフィカルユーザインターフェースに出力する、
ように構成されている、請求項１に記載の医療処理ユニット。